(57)【要約】【課題】本発明の目的は、歯を脱灰することなく、高効率で、即ち、短時間で歯のホワイトニングを実施できる歯の漂白用デバイス及び歯の漂白用キットを提供することにある。【解決手段】外部部材、外部部材の内部に載置された亜塩素酸もしくはその塩を含む漂白剤前駆体（Ｉ）、その水溶液が酸性を示す物質を含む酸性化剤（ＩＩ）、その水溶液が塩基性を示す物質を含む中和用剤（ＩＩＩ）、漂白剤前駆体（Ｉ）と酸性化剤（ＩＩ）との間に位置する第一隔壁、及び漂白剤前駆体（Ｉ）又は酸性化剤（ＩＩ）と中和用剤（ＩＩＩ）との間に位置する第二隔壁とを備えることを特徴とする歯の漂白用デバイス、並びに、このようなデバイスと、圧力供給部材又は水性液体供給用部材とを備える歯の漂白用キットを使用する。【選択図】図１０
2020031862.tif 000002
【特許請求の範囲】
【請求項１】
外部部材、外部部材の内部に載置された亜塩素酸もしくはその塩を含む漂白剤前駆体（Ｉ）、その水溶液が酸性を示す物質を含む酸性化剤（ＩＩ）、その水溶液が塩基性を示す物質を含む中和用剤（ＩＩＩ）、漂白剤前駆体（Ｉ）と酸性化剤（ＩＩ）との間に位置する第一隔壁、及び漂白剤前駆体（Ｉ）又は酸性化剤（ＩＩ）と中和用剤（ＩＩＩ）との間に位置する第二隔壁とを備えることを特徴とする歯の漂白用デバイス。
【請求項２】
中空の外部部材と、外部部材の内部に配置された第一隔壁及び第二隔壁とを備え、外部部材の内部は直列状に並んだ三室に分かれている中空容器と、その中空容器の一端部に結合された圧力供給部材とを有し、中空容器の圧力供給部材に最も近い第一室及びそれに隣接する第二室には、それぞれ、亜塩素酸もしくはその塩を含む漂白剤前駆体（Ｉ）の水溶液及びその水溶液が酸性を示す物質を含む酸性化剤（ＩＩ）が存在するか、又は、それぞれ、酸性化剤（ＩＩ）の水溶液及び漂白剤前駆体（Ｉ）が存在し、第二室に隣接する第三室には、その水溶液が塩基性を示す物質を含む中和用剤（ＩＩＩ）が存在し、第三室の開放端には、液体吸収・保持部材が存在し、液体吸収・保持部材の外側には封止部材が存在していてもよく、圧力供給部材によって圧力をかけることにより、第一室と第二室とを連通させることができ、その後さらに圧力をかけることで、第二室と第三室とを連通させることができる、請求項１に記載の歯の漂白用デバイス。
【請求項３】
圧力供給部材が、スポイトのポンプ部分、スポイト又はシリンジである、請求項２に記載の歯の漂白用デバイス。
【請求項４】
液体吸収・保持部材がろ紙、スポンジ又は微細なブラシ構造体である、請求項２又は３に記載の歯の漂白用デバイス。
【請求項５】
中空容器と圧力供給部材との間に接続部材が存在する、請求項２乃至４のいずれか一項に記載の歯の漂白用デバイス。
【請求項６】
中空の外部部材と、外部部材の内部に配置された第一隔壁及び第二隔壁とを備え、外部部材の内部は直列状に並んだ三室に分かれている中空容器と、その中空容器の一端部に結合された、中空容器内を回転しながら移動する回転移動部材とを有し、中空容器は、その内部であって一端部にめねじ部材を有し、めねじ部材及び第一隔壁で画された第一室及びそれに隣接する第二室には、一方には亜塩素酸もしくはその塩を含む漂白剤前駆体（Ｉ）が、及び、他方にはその水溶液が酸性を示す物質を含む酸性化剤（ＩＩ）が存在し、ここで、漂白剤前駆体（Ｉ）と酸性化剤（ＩＩ）の少なくとも一方は水溶液の形態であり、第二室に隣接する第三室には、その水溶液が塩基性を示す物質を含む中和用剤（ＩＩＩ）が存在し、第三室の開放端には、液体吸収・保持部材が存在し、液体吸収・保持部材の外側には封止部材が存在していてもよく、回転移動部材が中空容器内を第一移動量だけ進むと第一室と第二室とが連通し、回転移動部材がさらに中空容器内を第二移動量だけ進むと第二室と第三室とが連通する構成である、請求項１に記載の歯の漂白用デバイス。
【請求項７】
回転移動部材が、その先端に突刺部分を備えるネジである、請求項６に記載の歯の漂白用デバイス。
【請求項８】
液体吸収・保持部材がろ紙、スポンジ又は微細なブラシ構造体である、請求項６又は７に記載の歯の漂白用デバイス。
【請求項９】
固体の亜塩素酸塩を含む漂白剤前駆体（Ｉ´）と、第一隔壁と、固体のその水溶液が酸性を示す物質を含む酸性化剤（ＩＩ´）と、第二隔壁と、固体のその水溶液が塩基性を示す物質を含む中和用剤（ＩＩＩ´）とがこの順で存在するか、又は、固体のその水溶液が酸性を示す物質を含む酸性化剤（ＩＩ´）と、第一隔壁と、固体の亜塩素酸塩を含む漂白剤前駆体（Ｉ´）と、第二隔壁と、固体のその水溶液が塩基性を示す物質を含む中和用剤（ＩＩＩ´）とがこの順で存在しており、中和用剤（ＩＩＩ´）が保持部材に保持されているか、及び／又は、中和用剤（ＩＩＩ´）の第二隔壁に対向する側の反対側に液体吸収・保持部材があり、これらの外周部には外部部材が存在することを特徴とする請求項１に記載の歯の漂白用デバイス。
【請求項１０】
外部部材が、中空の非透水性部材である、請求項９に記載の歯の漂白用デバイス。
【請求項１１】
第一隔壁、第二隔壁及び液体吸収・保持部材の各々が、ろ紙製又はスポンジ製であり、第二隔壁は、亜塩素酸塩が分解して二酸化塩素が生成する時間を担保する密度及び／又は距離を有する、請求項９又は１０に記載の歯の漂白用デバイス。
【請求項１２】
漂白剤前駆体（Ｉ´）、酸性化剤（ＩＩ´）、及び中和用剤（ＩＩＩ´）が、各々ろ紙製又はスポンジ製の保持部材に保持されている、請求項９乃至１１のいずれか一項に記載の歯の漂白用デバイス。
【請求項１３】
漂白剤前駆体（Ｉ´）、酸性化剤（ＩＩ´）、及び中和用剤（ＩＩＩ´）の各々が、ろ紙又はスポンジに保持されており、第一隔壁、第二隔壁及び液体吸収・保持部材の各々が、ろ紙製又はスポンジ製であり、外部部材は、ろ紙又はスポンジ同士をそれらの外周部分で接着している接着剤層である、請求項９に記載の歯の漂白用デバイス。
【請求項１４】
第二隔壁は、亜塩素酸塩が分解して二酸化塩素が生成する時間を担保する密度及び／又は距離を有する、請求項１３に記載の歯の漂白用デバイス。
【請求項１５】
中空の外部部材と、外部部材の内部に配置された第一隔壁及び第二隔壁とを備え、外部部材の内部は直列状に並んだ三室に分かれている中空容器と、その中空容器の一端部に結合される圧力供給部材とを含む歯の漂白用キットであって、中空容器は、その一端が封止部材で封止されており、その一端及び第一隔壁で画された第一室及びそれに隣接する第二室には、それぞれ、亜塩素酸もしくはその塩を含む漂白剤前駆体（Ｉ）の水溶液及びその水溶液が酸性を示す物質を含む酸性化剤（ＩＩ）が存在するか、又は、それぞれ、酸性化剤（ＩＩ）の水溶液及び漂白剤前駆体（Ｉ）が存在し、第二室に隣接する第三室には、その水溶液が塩基性を示す物質を含む中和用剤（ＩＩＩ）が存在し、第三室の開放端には、液体吸収・保持部材が存在し、液体吸収・保持部材の外側には封止部材が存在していてもよく、中空容器の一端の封止部材を除去するか又はそれに孔をあけて中空容器の一端に圧力供給部材を結合させ、圧力供給部材によって圧力をかけることにより、第一室と第二室とを連通させることができ、その後さらに圧力をかけることで、第二室と第三室とを連通させることができる、歯の漂白用キット。
【請求項１６】
中空容器の一端と、その一端を封止している封止部材との間に接続部材が存在する、請求項１５に記載の歯の漂白用キット。
【請求項１７】
中空の外部部材と、外部部材の内部に配置された第一隔壁及び第二隔壁とを備え、外部部材の内部は直列状に並んだ三室に分かれている中空容器と、その中空容器の一端に結合される回転移動部材とを含む歯の漂白用キットであって、中空容器は、その内部であって一端部にめねじ部材を有し、一端は封止部材で封止されており、めねじ部材及び第一隔壁で画された第一室及びそれに隣接する第二室には、一方には亜塩素酸もしくはその塩を含む漂白剤前駆体（Ｉ）が、及び、他方にはその水溶液が酸性を示す物質を含む酸性化剤（ＩＩ）が存在し、ここで、漂白剤前駆体（Ｉ）と酸性化剤（ＩＩ）の少なくとも一方は水溶液の形態であり、第二室に隣接する第三室には、その水溶液が塩基性を示す物質を含む中和用剤（ＩＩＩ）が存在し、第三室の開放端には、液体吸収・保持部材が存在し、液体吸収・保持部材の外側には封止部材が存在していてもよく、中空容器の一端の封止部材を除去するか又はそれに孔をあけて中空容器の一端に回転移動部材を結合させ、回転移動部材を中空容器内で第一移動量だけ進行させると中空容器の第一室と第二室とが連通し、回転移動部材をさらに中空容器内で第二移動量だけ進行させると中空容器の第二室と第三室とが連通する構成である、歯の漂白用キット。
【請求項１８】
中空の外部部材と、外部部材の内部に配置された第一隔壁及び第二隔壁とを備え、外部部材の内部は直列状に並んだ三室に分かれている中空容器と、その中空容器の一端部に結合されるシリンジとを含む歯の漂白用キットであって、中空容器は、その一端が封止部材で封止されており、その一端及び第一隔壁で画された第一室及びそれに隣接する第二室には、それぞれ、固体の亜塩素酸塩を含む漂白剤前駆体（Ｉ´）及びその水溶液が酸性を示す物質を含む酸性化剤（ＩＩ）が存在するか、又は、それぞれ、固体の酸性化剤（ＩＩ´）及び漂白剤前駆体（Ｉ）が存在し、第二室に隣接する第三室には、その水溶液が塩基性を示す物質を含む中和用剤（ＩＩＩ）が存在し、第三室の開放端には、液体吸収・保持部材が存在し、液体吸収・保持部材の外側には封止部材が存在していてもよく、並びに、シリンジが水性液体を含有しているか、又は、シリンジに加え、水性液体を含有している小容器を含む、歯の漂白用キット。
【請求項１９】
中空容器の第二室に存在する酸性化剤（ＩＩ）又は漂白剤前駆体（Ｉ）が固体であり、第三室に存在する中和用剤（ＩＩＩ）も固体であり、第一隔壁及び第二隔壁はろ紙製である、請求項１８に記載の歯の漂白用キット。
【請求項２０】
中空容器の一端と、その一端を封止している封止部材との間に接続部材が存在する、請求項１８又は１９に記載の歯の漂白用キット。
【請求項２１】
中空の外部部材と、外部部材の内部に配置された隔壁とを備え、外部部材の内部は直列状に並んだ二室に分かれている中空容器と、その中空容器の一端部に結合されるシリンジとを含む歯の漂白用キットであって、中空容器は、その一端が封止部材で封止されており、その一端及び隔壁で画された第一室には、亜塩素酸若しくはその塩を含む漂白剤前駆体（Ｉ）又はその水溶液が酸性を示す物質を含む酸性化剤（ＩＩ）が存在し、第二室には、その水溶液が塩基性を示す物質を含む中和用剤（ＩＩＩ）が存在し、第二室の開放端には、液体吸収・保持部材が存在し、液体吸収・保持部材の外側には封止部材が存在していてもよく、並びに、シリンジが、漂白剤前駆体（Ｉ）又は酸性化剤（ＩＩ）の水溶液であって、中空容器の第一室には存在しないものを含有しているか、又は、シリンジに加え、漂白剤前駆体（Ｉ）又は酸性化剤（ＩＩ）の水溶液であって、中空容器の第一室には存在しないものを含有している小容器を含む、歯の漂白用キット。
【請求項２２】
中空容器の第一室に存在する漂白剤前駆体（Ｉ）又は酸性化剤（ＩＩ）が固体であり、第二室に存在する中和用剤（ＩＩＩ）も固体であり、隔壁はろ紙製である、請求項２１に記載の歯の漂白用キット。
【請求項２３】
中空容器の一端と、その一端を封止している封止部材との間に接続部材が存在する、請求項２１又は２２に記載の歯の漂白用キット。
【請求項２４】
請求項９乃至１４のいずれか一項に記載の歯の漂白用デバイスと、水性液体供給用部材とを含む、歯の漂白用キット。
【請求項２５】
固体の亜塩素酸塩を含む漂白剤前駆体（Ｉ´）又は固体のその水溶液が酸性を示す物質を含む酸性化剤（ＩＩ´）と、隔壁と、固体のその水溶液が塩基性を示す物質を含む中和用剤（ＩＩＩ´）とがこの順で存在しており、中和用剤（ＩＩＩ´）が保持部材に保持されているか、及び／又は、中和用剤（ＩＩＩ´）の隔壁に対向する側の反対側に液体吸収・保持部材があり、これらの外周部には外部部材が存在するデバイスと、デバイスが漂白剤前駆体（Ｉ´）を備える場合にはその水溶液が酸性を示す物質を含む酸性化剤（ＩＩ）を、また、デバイスが酸性化剤（ＩＩ´）を備える場合には亜塩素酸若しくはその塩を含む漂白剤前駆体（Ｉ）の水溶液を収納した液体供給用部材とを含むことを特徴とする、歯の漂白用キット。
【請求項２６】
デバイスの外部部材が、中空の非透水性部材である、請求項２５に記載の歯の漂白用デバイス。
【請求項２７】
デバイスの隔壁及び液体吸収・保持部材の各々が、ろ紙製又はスポンジ製であり、隔壁は、亜塩素酸又はその塩が分解して二酸化塩素が生成する時間を担保する密度及び／又は距離を有する、請求項２５又は２６に記載の歯の漂白用キット。
【請求項２８】
デバイスの漂白剤前駆体（Ｉ´）又は酸性化剤（ＩＩ´）と、中和用剤（ＩＩＩ´）とが、各々ろ紙製又はスポンジ製の保持部材に保持されている、請求項２５乃至２７のいずれか一項に記載の歯の漂白用キット。
【請求項２９】
デバイスにおいて、漂白剤前駆体（Ｉ´）又は酸性化剤（ＩＩ´）、及び中和用剤（ＩＩＩ´）の各々が、ろ紙又はスポンジに保持されており、隔壁及び液体吸収・保持部材の各々が、ろ紙製又はスポンジ製であり、外部部材は、ろ紙又はスポンジ同士をそれらの外周部分で接着している接着剤層である、請求項２５に記載の歯の漂白用キット。
【請求項３０】
デバイスの隔壁は、亜塩素酸塩が分解して二酸化塩素が生成する時間を担保する密度及び／又は距離を有する、請求項２９に記載の歯の漂白用キット。
【発明の詳細な説明】
【技術分野】
【０００１】
本発明は、亜塩素酸又はその塩を使用して歯を漂白するためのデバイス及びキットに関する。
【背景技術】
【０００２】
従来より、歯のホワイトニングには、過酸化水素や過酸化尿素等の酸素系漂白剤が用いられている。しかし、これらの酸素系漂白剤を用いたホワイトニングで有効な効果を得るためには、通常、８乃至１０分間の処理を３回行うこと、即ち、合計で約３０分間以上の処理時間が必要であり、数時間を要する場合もあった。
【０００３】
日本において食品添加物としての使用が許可されている亜塩素酸ナトリウムを用いた歯の漂白方法が、特許文献１及び２に開示されている。特許文献１によると、亜塩素酸ナトリウムを酸味料と接触させて二酸化塩素を生じさせ、その二酸化塩素によって歯を漂白するのである。しかし、特許文献１に記載の方法では、酸性状態で漂白を行うため、歯の脱灰を促進してしまうという問題がある。
【０００４】
特許文献２の図１には、亜塩素酸ナトリウムにクエン酸／クエン酸ナトリウム緩衝液を加えて系のｐＨを低下させても、二酸化塩素はわずかしか生成されなかった旨が、また図１及び図３には、クエン酸／クエン酸ナトリウム緩衝液の代わりに無水コハク酸及びコハク酸二ナトリウムを加えると、二酸化塩素が生成され且つ漂白効果が得られた旨が記載されている。後者の実施例では、亜塩素酸ナトリウムに弱塩基性（５％水溶液のｐＨが７．０乃至９．０）のコハク酸二ナトリウムを先に加え、その後、使用直前に無水コハク酸を加えている。
【０００５】
また、特許文献１及び２のいずれも、使用の直前まで、亜塩素酸ナトリウムと酸味料又は有機酸無水物とを、物理的に相互に隔離した状態に保持する旨を教示している。
【先行技術文献】
【特許文献】
【０００６】
【特許文献１】特表２０００−５１６２２１
【特許文献２】特表２００９−５３６９３５
【発明の概要】
【発明が解決しようとする課題】
【０００７】
本発明の目的は、歯を脱灰することなく、高効率で、即ち、短時間で、且つ自宅においても安全且つ容易に歯のホワイトニングを実施できる歯の漂白用のデバイス及びキットを提供することにある。
【課題を解決するための手段】
【０００８】
本発明の歯の漂白用デバイスは、外部部材、外部部材の内部に載置された亜塩素酸もしくはその塩を含む漂白剤前駆体（Ｉ）、その水溶液が酸性を示す物質を含む酸性化剤（ＩＩ）、その水溶液が塩基性を示す物質を含む中和用剤（ＩＩＩ）、漂白剤前駆体（Ｉ）と酸性化剤（ＩＩ）との間に位置する第一隔壁、及び漂白剤前駆体（Ｉ）又は酸性化剤（ＩＩ）と中和用剤（ＩＩＩ）との間に位置する第二隔壁とを備えることを特徴とする。
【０００９】
本発明第一の態様の歯の漂白用デバイスは、中空の外部部材と、外部部材の内部に配置された第一隔壁及び第二隔壁とを備え、外部部材の内部は直列状に並んだ三室に分かれている中空容器と、その中空容器の一端部に結合された圧力供給部材とを有し、中空容器の圧力供給部材に最も近い第一室及びそれに隣接する第二室には、それぞれ、亜塩素酸もしくはその塩を含む漂白剤前駆体（Ｉ）の水溶液及びその水溶液が酸性を示す物質を含む酸性化剤（ＩＩ）が存在するか、又は、それぞれ、酸性化剤（ＩＩ）の水溶液及び漂白剤前駆体（Ｉ）が存在し、第二室に隣接する第三室には、その水溶液が塩基性を示す物質を含む中和用剤（ＩＩＩ）が存在し、第三室の開放端には、液体吸収・保持部材が存在し、液体吸収・保持部材の外側には封止部材が存在していてもよく、圧力供給部材によって圧力をかけることにより、第一室と第二室とを連通させることができ、その後さらに圧力をかけることで、第二室と第三室とを連通させることができることを特徴とする。
【００１０】
本発明第二の態様の歯の漂白用デバイスは、中空の外部部材と、外部部材の内部に配置された第一隔壁及び第二隔壁とを備え、外部部材の内部は直列状に並んだ三室に分かれている中空容器と、その中空容器の一端部に結合された、中空容器内を回転しながら移動する回転移動部材とを有し、中空容器は、その内部であって一端部にめねじ部材を有し、めねじ部材及び第一隔壁で画された第一室及びそれに隣接する第二室には、一方には亜塩素酸もしくはその塩を含む漂白剤前駆体（Ｉ）が、及び、他方にはその水溶液が酸性を示す物質を含む酸性化剤（ＩＩ）が存在し、ここで、漂白剤前駆体（Ｉ）と酸性化剤（ＩＩ）の少なくとも一方は水溶液の形態であり、第二室に隣接する第三室には、その水溶液が塩基性を示す物質を含む中和用剤（ＩＩＩ）が存在し、第三室の開放端には、液体吸収・保持部材が存在し、液体吸収・保持部材の外側には封止部材が存在していてもよく、回転移動部材が中空容器内を第一移動量だけ進むと第一室と第二室とが連通し、回転移動部材がさらに中空容器内を第二移動量だけ進むと第二室と第三室とが連通する構成であることを特徴とする。
【００１１】
本発明第三の態様の歯の漂白用デバイスは、固体の亜塩素酸塩を含む漂白剤前駆体（Ｉ´）と、第一隔壁と、固体のその水溶液が酸性を示す物質を含む酸性化剤（ＩＩ´）と、第二隔壁と、固体のその水溶液が塩基性を示す物質を含む中和用剤（ＩＩＩ´）とがこの順で存在するか、又は、固体のその水溶液が酸性を示す物質を含む酸性化剤（ＩＩ´）と、第一隔壁と、固体の亜塩素酸塩を含む漂白剤前駆体（Ｉ´）と、第二隔壁と、固体のその水溶液が塩基性を示す物質を含む中和用剤（ＩＩＩ´）とがこの順で存在しており、中和用剤（ＩＩＩ´）が保持部材に保持されているか、及び／又は、中和用剤（ＩＩＩ´）の第二隔壁に対向する側の反対側に液体吸収・保持部材があり、これらの外周部には外部部材が存在することを特徴とする。
【００１２】
本発明第一の態様の歯の漂白用キットは、中空の外部部材と、外部部材の内部に配置された第一隔壁及び第二隔壁とを備え、外部部材の内部は直列状に並んだ三室に分かれている中空容器と、その中空容器の一端部に結合される圧力供給部材とを含む歯の漂白用キットであって、中空容器は、その一端が封止部材で封止されており、その一端及び第一隔壁で画された第一室及びそれに隣接する第二室には、それぞれ、亜塩素酸もしくはその塩を含む漂白剤前駆体（Ｉ）の水溶液及びその水溶液が酸性を示す物質を含む酸性化剤（ＩＩ）が存在するか、又は、それぞれ、酸性化剤（ＩＩ）の水溶液及び漂白剤前駆体（Ｉ）が存在し、第二室に隣接する第三室には、その水溶液が塩基性を示す物質を含む中和用剤（ＩＩＩ）が存在し、第三室の開放端には、液体吸収・保持部材が存在し、液体吸収・保持部材の外側には封止部材が存在していてもよく、中空容器の一端の封止部材を除去するか又はそれに孔をあけて中空容器の一端に圧力供給部材を結合させ、圧力供給部材によって圧力をかけることにより、第一室と第二室とを連通させることができ、その後さらに圧力をかけることで、第二室と第三室とを連通させることができることを特徴とする。このキットを組み立てると、本発明第一の態様の歯の漂白用デバイスとなる。
【００１３】
本発明第二の態様の歯の漂白用キットは、中空の外部部材と、外部部材の内部に配置された第一隔壁及び第二隔壁とを備え、外部部材の内部は直列状に並んだ三室に分かれている中空容器と、その中空容器の一端に結合される回転移動部材とを含む歯の漂白用キットであって、中空容器は、その内部であって一端部にめねじ部材を有し、一端は封止部材で封止されており、めねじ部材及び第一隔壁で画された第一室及びそれに隣接する第二室には、一方には亜塩素酸もしくはその塩を含む漂白剤前駆体（Ｉ）が、及び、他方にはその水溶液が酸性を示す物質を含む酸性化剤（ＩＩ）が存在し、ここで、漂白剤前駆体（Ｉ）と酸性化剤（ＩＩ）の少なくとも一方は水溶液の形態であり、第二室に隣接する第三室には、その水溶液が塩基性を示す物質を含む中和用剤（ＩＩＩ）が存在し、第三室の開放端には、液体吸収・保持部材が存在し、液体吸収・保持部材の外側には封止部材が存在していてもよく、中空容器の一端の封止部材を除去するか又はそれに孔をあけて中空容器の一端に回転移動部材を結合させ、回転移動部材を中空容器内で第一移動量だけ進行させると中空容器の第一室と第二室とが連通し、回転移動部材をさらに中空容器内で第二移動量だけ進行させると中空容器の第二室と第三室とが連通する構成であることを特徴とする。このキットを組み立てると、本発明第二の態様の歯の漂白用デバイスとなる。
【００１４】
本発明第三の態様の歯の漂白用キットは、中空の外部部材と、外部部材の内部に配置された第一隔壁及び第二隔壁とを備え、外部部材の内部は直列状に並んだ三室に分かれている中空容器と、その中空容器の一端部に結合されるシリンジとを含む歯の漂白用キットであって、中空容器は、その一端が封止部材で封止されており、その一端及び第一隔壁で画された第一室及びそれに隣接する第二室には、それぞれ、固体の亜塩素酸塩を含む漂白剤前駆体（Ｉ´）及びその水溶液が酸性を示す物質を含む酸性化剤（ＩＩ）が存在するか、又は、それぞれ、固体の酸性化剤（ＩＩ´）及び漂白剤前駆体（Ｉ）が存在し、第二室に隣接する第三室には、その水溶液が塩基性を示す物質を含む中和用剤（ＩＩＩ）が存在し、第三室の開放端には、液体吸収・保持部材が存在し、液体吸収・保持部材の外側には封止部材が存在していてもよく、並びに、シリンジが水性液体を含有しているか、又は、シリンジに加え、水性液体を含有している小容器を含むことを特徴とする。
【００１５】
本発明第四の態様の歯の漂白用キットは、中空の外部部材と、外部部材の内部に配置された隔壁とを備え、外部部材の内部は直列状に並んだ二室に分かれている中空容器と、その中空容器の一端部に結合されるシリンジとを含む歯の漂白用キットであって、中空容器は、その一端が封止部材で封止されており、その一端及び隔壁で画された第一室には、亜塩素酸若しくはその塩を含む漂白剤前駆体（Ｉ）又はその水溶液が酸性を示す物質を含む酸性化剤（ＩＩ）が存在し、第二室には、その水溶液が塩基性を示す物質を含む中和用剤（ＩＩＩ）が存在し、第二室の開放端には、液体吸収・保持部材が存在し、液体吸収・保持部材の外側には封止部材が存在していてもよく、並びに、シリンジが、漂白剤前駆体（Ｉ）又は酸性化剤（ＩＩ）の水溶液であって、中空容器の第一室には存在しないものを含有しているか、又は、シリンジに加え、漂白剤前駆体（Ｉ）又は酸性化剤（ＩＩ）の水溶液であって、中空容器の第一室には存在しないものを含有している小容器を含むことを特徴とする。
【００１６】
本発明第五の態様の歯の漂白用キットは、本発明第三の態様の歯の漂白用デバイスと、水性液体供給用部材とを含むことを特徴とする。
【００１７】
本発明第六の態様の歯の漂白用キットは、固体の亜塩素酸塩を含む漂白剤前駆体（Ｉ´）又は固体のその水溶液が酸性を示す物質を含む酸性化剤（ＩＩ´）と、隔壁と、固体のその水溶液が塩基性を示す物質を含む中和用剤（ＩＩＩ´）とがこの順で存在しており、中和用剤（ＩＩＩ´）が保持部材に保持されているか、及び／又は、中和用剤（ＩＩＩ´）の隔壁に対向する側の反対側に液体吸収・保持部材があり、これらの外周部には外部部材が存在するデバイスと、デバイスが漂白剤前駆体（Ｉ´）を備える場合にはその水溶液が酸性を示す物質を含む酸性化剤（ＩＩ）を、また、デバイスが酸性化剤（ＩＩ´）を備える場合には亜塩素酸若しくはその塩を含む漂白剤前駆体（Ｉ）の水溶液を収納した液体供給用部材とを含むことを特徴とする。
【００１８】
本発明の歯の漂白用デバイス及びキットは、発明を実施するための形態に記載する、好ましい構成要件の任意の組合せを含む。
【発明の効果】
【００１９】
本発明により、歯を脱灰することなく、高効率で、即ち、短時間で、歯のホワイトニングを実施できるようになる。本発明により、飛躍的に高い歯の漂白効果が、容易に且つ確実に得られる。本発明により、自宅やエステティックサロンにおいても歯の漂白を実施できるようになる。
【図面の簡単な説明】
【００２０】
【図１】図１は、本発明の歯の漂白用デバイスの第一の態様の断面模式図である。
【図２】図２は、図１に示す歯の漂白用デバイスの、圧力供給部材を取り付ける前の中空容器の一部を示す斜視図である。
【図３】図３は、本発明の歯の漂白用デバイスの第一の態様の別の例を示す断面模式図である。
【図４】図４は、図３に示す歯の漂白用デバイスの、圧力供給部材を取り付ける前の中空容器の一部を示す斜視図である。
【図５】図５は、本発明の歯の漂白用デバイスの第二の態様の断面模式図である。
【図６】図６は、図５に示す歯の漂白用デバイスの、回転移動部材を示す正面模式図である。
【図７】図７は、図５に示す歯の漂白用デバイスの、回転移動部材を取り付ける前の中空容器の一部を示す斜視図である。
【図８】図８は、本発明の歯の漂白用キットの第三の態様における中空容器を示す断面模式図である。
【図９】図９は、本発明の歯の漂白用キットの第四の態様における中空容器を示す断面模式図である。
【図１０】図１０は、本発明の歯の漂白用デバイスの第三の態様の断面模式図である。
【図１１】図１１は、本発明の歯の漂白用キットの第五の態様における水性液体供給用部材６０の模式的一部切欠き斜視図及びその使用時の状態を示す模式的断面図である。
【図１２】図１２は、水性液体供給用部材の他の例であるパウチを示す模式的斜視図である。
【図１３】図１３は、本発明の歯の漂白用デバイスの第三の態様の変形例１を示す断面模式図である。
【図１４】図１４は、本発明の歯の漂白用デバイスの第三の態様の変形例２を示す断面模式図である。
【図１５】図１５は、本発明の歯の漂白用キットの第六の態様におけるデバイス示す断面模式図である。
【発明を実施するための形態】
【００２１】
先ず初めに、本明細書及び特許請求の範囲において使用する用語の意味等を説明する。
【００２２】
亜塩素酸又はその塩を含む漂白剤前駆体（Ｉ）、その水溶液が酸性を示す物質を含む酸性化剤（ＩＩ）及びその水溶液が塩基性を示す物質を含む中和用剤（ＩＩＩ）は、各々、水溶液等の水性液体や、粉末等の固体の形態をとり得る。その形態が固体のものに限定される場合には、漂白剤前駆体（Ｉ´）、酸性化剤（ＩＩ´）及び中和用剤（ＩＩＩ´）と表記する。「水性液体」の定義には、ある特定の物質のみが水に溶解している水溶液のみならず、ある物質特定の物質以外の成分をも含有する水性液体、例えば、ある物質の生理食塩水溶液、緩衝剤水溶液、水性懸濁液及び水性ゲル等も包含される。
【００２３】
漂白剤前駆体（Ｉ）に含有される亜塩素酸は、無色の液体である。漂白剤前駆体（Ｉ）及び（Ｉ´）に含有される亜塩素酸塩の例としては、亜塩素酸ナトリウム（ＣＡＳ：７７５８−１９−２）、亜塩素酸カリウム及び亜塩素酸リチウム等の水溶性の亜塩素酸塩が挙げられる。亜塩素酸塩は、その中性の水溶液は比較的安定である。亜塩素酸ナトリウムの水溶液は、無色乃至淡黄色である。亜塩素酸ナトリウムには、無水塩と三水塩が存在する。無水塩は無色の結晶性粉末であり、水に易溶であり、その水溶液は、塩基性では光にあてない限り安定である。したがって、漂白剤前駆体（Ｉ）として、固体（例えば、粉末状）の亜塩素酸ナトリウム又はその塩基性水溶液を使用することが特に好ましい。また、漂白剤前駆体（Ｉ´）として、固体の亜塩素酸ナトリウムを使用することが好ましい。なお、漂白剤前駆体（Ｉ）の中で、その性状が固体であるものに限定する場合、漂白剤前駆体（Ｉ´）という。
【００２４】
酸性化剤（ＩＩ）及び（ＩＩ´）に含有される「その水溶液が酸性を示す物質」は、無機酸又はその塩でも、有機酸又はその塩でもよく、特に限定されない。「その水溶液が酸性を示す物質」の例としては、ギ酸、酢酸、アスコルビン酸、リン酸類、クエン酸、硫酸及び塩酸、並びにそれらの塩類、例えばアルカリ金属塩が挙げられる。これらの中で、リン酸類、クエン酸及び硫酸並びにそれらの塩類からなる群から選択される少なくとも一種を使用することが好ましい。また、リン酸類及びそれらの塩類の中で、縮合リン酸類及びそれらの塩類からなる群から選択される少なくとも一種を使用することがさらに好ましく、ウルトラリン酸又はその塩を使用することが特に好ましい。酸性化剤（ＩＩ）においては、「その水溶液が酸性を示す物質」が結晶や粉末形態の場合には、そのまま使用してもよいし、水溶液として使用してもよい。また、酸性化剤（ＩＩ´）と表記した場合には、それは固体である。
【００２５】
「縮合リン酸」とは、２個以上のリン酸（ＰＯ４）四面体が酸素原子を共有するポリマー又はそのオキソ酸を意味する。「縮合リン酸」には、直鎖状構造を有する「ポリリン酸」、環状構造又は極めて長い直鎖状構造を有する「メタリン酸」、高度な枝分かれ状（網目状）構造を有する「ウルトラリン酸」が包含される。さらに、「ポリリン酸」には、「長鎖ポリリン酸」、「中鎖ポリリン酸」、「短鎖ポリリン酸」がある。ウルトラリン酸及び短鎖ポリリン酸には、酸性化剤としての効果に加えて、物理化学的に歯のエナメル質や象牙質に沈着した色素（ステイン）の除去及び沈着防止効果が認められている。
【００２６】
中和用剤（ＩＩＩ）及び（ＩＩＩ´）に含有される、「その水溶液が塩基性を示す物質」は、水溶性であり且つ酸を中和できるものであれば特に限定されない。「その水溶液が塩基性を示す物質」の例として、リン酸水素二ナトリウム、炭酸水素ナトリウム、炭酸ナトリウム、炭酸アンモニウム、クエン酸ナトリウム、水酸化ナトリウム、水酸化カリウム、水酸化アンモニウム、アンモニア、アルギニン、及びエタノールアミン類が挙げられる。「その水溶液が塩基性を示す物質」は、二種以上の物質の混合物であってもよい。例えば、リン酸水素二ナトリウムと水酸化ナトリウムとの併用系である。中和用剤（ＩＩＩ）は、水を含有するもの、例えば、水溶液や水性ゲルであってもよい。「その水溶液が塩基性を示す物質」が結晶や粉末形態等の固体である場合には、中和用剤（ＩＩＩ）は、固体そのままであっても、そのような固体の水溶液であってもよい。また、「中和用剤（ＩＩＩ´）」と表記した場合には、それは固体である。
【００２７】
本発明において、漂白剤前駆体（Ｉ）、酸性化剤（ＩＩ）及び中和用剤（ＩＩＩ）の各々は、それらの必須成分のほかに、本発明によって得られる効果を損ねない限り、他の任意成分をも含有していてもよい。それらの任意成分は、漂白剤前駆体（Ｉ）、酸性化剤（ＩＩ）、及び中和用剤（ＩＩＩ）のいずれに含有されていてもよく、あるいは、これらとは別途に提供されてもよい。任意成分の例としては、プラチナ・ナノコロイド、二酸化チタン、塩化白金酸、酸化コバルト、追加の水等が挙げられる。
【００２８】
次に、図面を参照して、本発明の歯の漂白用デバイス及びキットの好ましい実施形態を、順に説明する。
【００２９】
（第一の態様の歯の漂白用デバイス及び歯の漂白用キット）
図１は、本発明の歯の漂白用デバイスの第一の態様の断面模式図である。歯の漂白用デバイス１は、中空容器１００と圧力供給部材であるスポイトのポンプ部分１６０とを有する。
【００３０】
まず、中空容器１００から説明する。中空容器１００は、中空の外部部材１３３を備える。中空の外部部材１３３は、例えば、非透水性で硬質のチューブ、より具体的には、その横断面形状が円形のプラスチックチューブであり、その太さは一様ではなく、一端１４１から他端１４２に向かって、若干の末広がりとなっている（換言すると、他端１４２から一旦１４１に向かって先細り（テーパ状）となっている）。外部部材１３３は、透明、半透明及び不透明のいずれでもよい。中空容器１００の一端１４１は、本発明のデバイス１の使用時には、後記する圧力供給部材であるスポイトのポンプ部分１６０の内部に対向した開放端となっており、他端１４２は、液体吸収・保持部材３２によって閉鎖されている。
【００３１】
この外部部材１３３の内部には、一端１４１側から他端１４２側に向かって順に、第一室１０、第一隔壁２１、第二室１１、第二隔壁２２、第三室１２及び液体吸収・保持部材３２が存在する。液体吸収・保持部材３２は、外部部材１３３の他端部１５２内に存在する。第一室１０及び第二室１１には、それぞれ、漂白剤前駆体（Ｉ）の水溶液及び酸性化剤（ＩＩ）が存在するか、又は、それぞれ、酸性化剤（ＩＩ）の水溶液及び漂白剤前駆体（Ｉ）が存在する。即ち、第一室１０には水溶液が収納されている。第二室１１に収納されている酸性化剤（ＩＩ）又は漂白剤前駆体（Ｉ）は、その性状は限定されない、即ち、水溶液でも粉末（固体）であってもよい。また、第三室１２に収納されている中和用剤（ＩＩＩ）は、水溶液でも粉末（固体）であってもよい。第一隔壁２１及び第二隔壁２２は、非透水性の材料製、例えば、プラスチックやゴム製である。
【００３２】
液体吸収・保持部材３２は、漂白の際にその表面が歯に当てられる部分である。その材質は、液体を吸収・保持できるものであればよい。例えば、ろ紙、スポンジ、及び微細なブラシ構造体が、液体吸収・保持部材３２として使用可能である。本発明の歯の漂白用デバイス１は、その使用前には、他端１４２であって液体吸収・保持部材３２の外側に、封止部材１５４が存在する。但し、第三室１２に収納されている中和用剤（ＩＩＩ）が固体である場合には、封止部材１５４がなくてもよい。また、本発明の歯の漂白用デバイス１の使用時には、封止部材１５４は除去される。
【００３３】
この例において、圧力供給部材は、弾性変形可能なプラスチックあるいはゴムにより作られているスポイトのポンプ部分１６０である。スポイトのポンプ部分１６０の中には、空気が収容されている。スポイトのポンプ部分１６０は、中空容器１００の一端部１５１の外側に取り付けられている。
【００３４】
図２は、スポイトのポンプ部分１６０を取り付ける前の中空容器１００の一部を示す斜視図である。図２（１）に示すように、スポイトのポンプ部分１６０を取り付ける前の中空容器１００の一端１４１は、シール１５５により封止されている。この状態、即ち、ここで説明したシール１５５により封止された中空容器１００とスポイト１６０とが別々に存在するものは、本発明の歯の漂白用キットの第一の態様である。使用する際には、シール１５５を取り除き（図２（２）を参照のこと）、スポイトのポンプ部分１６０を、中空容器１００の一端部１５１の外側に取り付ける。シール１５５を取り除く代わりに、シール１５５に孔をあけてもよい。
【００３５】
図１に示す歯の漂白用デバイス１の使用例を説明する。使用者は、先ず、封止部材１５４を取り除く。次いで、使用者が圧力供給部材であるスポイトのポンプ部分１６０を指で１回押すと、空気圧が漂白剤前駆体（Ｉ）の水溶液を介して第一隔壁２１にかかり、それによって第一隔壁２１が押されて外れる。これにより、第一室と第二室とが連通し、漂白剤前駆体（Ｉ）の水溶液に酸性化剤（ＩＩ）が溶解し、亜塩素酸又はその塩の酸性液体が生成される。第一室に酸性化剤（ＩＩ）の水溶液が存在する場合には、酸性化剤（ＩＩ）の水溶液に漂白剤前駆体（Ｉ）が溶解し、亜塩素酸又はその塩の酸性液体が生成される。この酸性液体中で、亜塩素酸又はその塩が分解して、二酸化塩素が生成される。
【００３６】
所定時間経過後、即ち、十分な量の二酸化塩素が生成されたら、使用者はスポイトのポンプ部分１６０を指でもう１回押す。これにより、空気圧が第二隔壁２２にかかり、それによって第二隔壁２２が押されて外れ、第二室と第三室とが連通する。その結果、中空容器１００の内容物全てが混ざり、酸性の液体が中和される。中和後の液体には、二酸化塩素が含まれている。この液体は、液体吸収・保持部材３２に吸収・保持される。液体吸収・保持部材３２を歯の表面に当てることにより、液体吸収・保持部材３２を通じて二酸化塩素含有液体が歯の表面に供給され、それによって歯が漂白される。
【００３７】
（第一の態様の歯の漂白用デバイス及び歯の漂白用キットの他の例）
図３は、本発明の歯の漂白用デバイスの第一の態様の他の例の断面模式図である。歯の漂白用デバイス２は、中空容器２００と圧力供給部材であるシリンジ２６０とを有する。
【００３８】
まず、中空容器２００から説明する。中空容器２００は、中空の外部部材２３３を備える。中空の外部部材２３３は、非透水性で硬質のチューブ、例えば、その横断面形状が円形のプラスチックチューブであり、その太さは一様である。この中空の外部部材２３３は、透明、半透明及び不透明のいずれでもよい。中空容器２００の一端２４１の外側には、接続部材２５９が存在する。接続部材２５９は、中空容器２００内の一端部２５１に存在してもよい。接続部材２５９は、例えば可撓性を有するゴム製のリングである。他端２４２は、液体吸収・保持部材３２によって閉鎖されている。
【００３９】
この中空容器２００の内部の構成は、前記した中空容器１００の内部の構成と同じである。また、液体吸収・保持部材３２及び封止部材２５４も、それぞれ、中空容器１００の液体吸収・保持部材３２及び封止部材１５４と同じである。
【００４０】
この例では、圧力供給部材は、例えばプラスチック製のシリンジ２６０である。シリンジ２６０の中には、空気が収容されている。シリンジ２６０は、その先端部２６５が接続部材２５９の孔２７３を通って中空容器２００の一端２４１の孔２７１に指し込まれることにより、中空容器２００に接続される。
【００４１】
図４は、シリンジ２６０を取り付ける前の中空容器２００の一部を示す斜視図である。図４（１）に示すように、シリンジ２６０を取り付ける前の接続部材２５９の一端（中空容器２００と向き合っていない方）は、シール２５５により封止されている。この状態、即ち、ここで説明したシール２５５により封止された接続部材２５９を伴う中空容器２００とシリンジ２６０とが別々に存在するものは、本発明の歯の漂白用キットの第一の態様の他の例である。使用する際には、シール２５５を取り除き（図４（２）を参照のこと）、シリンジ２６０の先端部２６５を、接続部材２５９の孔２７３を介して中空容器２００の一端２４１の孔２７１に指し込む。これにより、シリンジ２６０が気密状態で中空容器２００に取り付けられる。
【００４２】
図３に示す歯の漂白用デバイス２の使用例を説明する。使用者は、先ず、封止部材２５４を取り除く。次いで、使用者がシリンジ２６０のピストン２６３を押して、ピストン２６３を所定距離だけ移動させると、空気圧が漂白剤前駆体（Ｉ）の水溶液を介して第一隔壁２１に加わることで、第一隔壁２１が押されて外れる。これにより、第一室と第二室とが連通し、漂白剤前駆体（Ｉ）の水溶液に酸性化剤（ＩＩ）が溶解し、亜塩素酸又はその塩の酸性液体が生成される。第一室に酸性化剤（ＩＩ）の水溶液が存在する場合には、酸性化剤（ＩＩ）の水溶液に漂白剤前駆体（Ｉ）が溶解して混ざり、亜塩素酸又はその塩の酸性液体が生成される。この酸性液体中で、亜塩素酸又はその塩が分解して、二酸化塩素が生成される。
【００４３】
所定時間経過後、即ち、十分な量の二酸化塩素が生成されたら、使用者はシリンジ２６０のピストン２６３を指でもう１回押す。これにより、空気圧によって第二隔壁２２が押されて外れ、第二室と第三室とが連通する。その結果、中空容器２００の内容物全てが混ざり、酸性の液体が中和される。中和後の液体には、二酸化塩素が含まれている。この液体は、液体吸収・保持部材３２に吸収・保持される。液体吸収・保持部材３２を歯の表面に当てることにより、液体吸収・保持部材３２を通じて二酸化塩素含有液体が歯の表面に供給され、それによって歯が漂白される。
【００４４】
（第二の態様の歯の漂白用デバイス及び歯の漂白用キット）
図５は、本発明の第二の態様の歯の漂白用デバイスの断面模式図である。歯の漂白用デバイス３は、中空容器３００と回転移動部材３６０とを有する。
【００４５】
まず、中空容器３００から説明する。中空容器３００の構造は、図３に示すデバイス２の中空容器２００の構造に似ている。中空容器３００は、中空の外部部材３３３を備える。中空の外部部材３３３は、非透水性で硬質のチューブ、例えば、その横断面形状が円形のプラスチックチューブであり、その太さは一様である。この中空の外部部材３３３は、透明、半透明及び不透明のいずれでもよい。中空容器３００の一端部３５１の内側には、めねじ部材３０３が存在する。めねじ部材３０３は、例えば可撓性を有するゴム製の、より具体的にはシリコーンゴム製のリング３０５と、そのリング３０５の孔に密に装入された金属製のめねじ３０６とで構成されているものである。他端３４２は、液体吸収・保持部材３２によって閉鎖されている。
【００４６】
この中空容器３００の内部の構成は、前記した中空容器１００の内部の構成と同じである。また、液体吸収・保持部材３２は、中空容器１００の液体吸収・保持部材３２と同じである。中空容器３００では、液体吸収・保持部材３２の外側に封止部材がないが、封止部材が存在していてもよい。
【００４７】
図６に示すように、回転移動部材３６０は、操作部３０１と、おねじ部分３０２と、突刺部分３０４とを有する。回転移動部材３６０は、例えば金属製である。おねじ部分３０２は、中空容器３００の内側に固定されているめねじ部材３０３のめねじ部分３０６に噛み合う。突刺部分３０４は、おねじ部分３０２の先端中央において、第一隔壁２１側に向かって突出している。
【００４８】
図７は、回転移動部材３６０を取り付ける前の中空容器３００の一部を示す斜視図である。図７（１）に示すように、回転移動部材３６０を取り付ける前の中空容器３００の一端３４１は、シール３５５により封止されている。この状態、即ち、ここで説明したシール３５５により封止された中空容器３００と回転移動部材３６０とが別々に存在するものは、本発明第三の態様の歯の漂白用キットである。使用する際には、シール３５５を取り除き（図７（２）を参照のこと）、回転移動部材３６０を回転させながら、そのおねじ部分３０２をめねじ部材３０３のめねじ部分３０６と噛み合わせる。中空容器３００に回転移動部材３６０を接続した後、操作部３０１を回転させると、回転移動部材３６０は中空容器３００内を軸方向に移動する。
【００４９】
図５及び図６には記載されていないが、おねじ部分３０２の途中に、このおねじ部分３０２の直線移動量を規制するストッパを取り付けてもよい。このストッパは、操作部３０１を回転操作する際に、突刺部分３０４が第１移動量Ｓ１だけ移動するように移動量を規制する。そして、操作部３０１を強く回転操作すると、ストッパが破損され、突刺部分３０４をさらに第２移動量Ｓ２だけ移動することができるように構成する。
【００５０】
図５に示す歯の漂白用デバイス３の使用例を説明する。使用者が操作部３０１を回転させることにより、突刺部分３０４が第１移動量Ｓ１だけ移動し、第一隔壁２１を突き破る。これにより、第一室と第二室とが連通し、漂白剤前駆体（Ｉ）の水溶液に酸性化剤（ＩＩ）が溶解し、亜塩素酸又はその塩の酸性液体が生成される。第一室に酸性化剤（ＩＩ）の水溶液が存在する場合には、酸性化剤（ＩＩ）の水溶液に漂白剤前駆体（Ｉ）が溶解し、亜塩素酸又はその塩の酸性液体が生成される。この酸性液体中で、亜塩素酸又はその塩が分解して、二酸化塩素が生成される。
【００５１】
所定時間経過後、即ち、十分な量の二酸化塩素が生成されたら、使用者は操作部３０１をさらに回転させる。この回転操作により、突刺部分３０４がさらに第２移動量Ｓ２だけ移動し、第二隔壁２２を突き破る。これにより、第二室と第三室とが連通する。その結果、中空容器３００の内容物全てが混ざり、酸性の液体が中和される。中和後の液体には、二酸化塩素が含まれている。この液体は、液体吸収・保持部材３２に吸収・保持される。液体吸収・保持部材３２を歯の表面に当てることにより、液体吸収・保持部材３２を通じて二酸化塩素含有液体が歯の表面に供給され、それによって歯が漂白される。
【００５２】
前記したストッパが存在する場合には、突刺部分３０４が第１移動量Ｓ１だけ移動すると、ストッパによって操作部３０１の回転が停止される。しかし、その後、操作部３０１をさらに強く回転させてストッパを破損させることで、突刺部分３０４をさらに第２移動量Ｓ２だけ移動させることが可能となる。即ち、ストッパ部材が存在する場合には、１回目の回転操作による第１移動量Ｓ１の設定操作と、２回目の回転操作による第２移動量Ｓ２の設定操作を、容易に且つ明確に区別することができる。
【００５３】
（第三の態様の歯の漂白用キット）
図８は、本発明の歯の漂白用キットの第三の態様に含まれる中空容器４００の断面模式図である。このキットには、他に、圧力供給部材であるシリンジが含まれている。このシリンジの構成は、水性液体を含有していることを除き、第一の態様の歯の漂白用デバイス及びキットの他の例で使用したもの（図３を参照のこと）と同じである。また、このキットには、シリンジが水性液体を含有しておらず、水性液体は、別途、小容器に封入されて提供されるという態様も包含される。
【００５４】
中空容器４００について説明する。中空容器４００は、中空の外部部材４３３を備える。中空の外部部材４３３は、非透水性で硬質のチューブ、例えば、その横断面形状が円形のプラスチックチューブであり、その太さは一様である。この中空の外部部材４３３は、透明、半透明及び不透明のいずれでもよい。中空容器４００の一端４４１の外側には、接続部材４５９が存在する。接続部材４５９は、中空容器４００内の一端部４５１に存在してもよい。接続部材４５９は、例えば可撓性を有するゴム製のリングである。接続部材４５９の孔４７３は、シール４５５等の封止部材によって閉鎖されている。他端４４２は、液体吸収・保持部材３２によって閉鎖されている。
【００５５】
この中空容器４００の内部には、一端４４１側から他端４４２側に向かって順に、第一室１０、第一隔壁２１、第二室１１、第二隔壁２２、第三室１２及び液体吸収・保持部材３２が存在する。液体吸収・保持部材３２は、中空容器４００の他端部４５２内に存在する。第一室１０には、固体の亜塩素酸塩を含む漂白剤前駆体（Ｉ´）が存在し、第二室１１には、固体の、その水溶液が酸性を示す物質を含む酸性化剤（ＩＩ´）が存在し、第三室１２には、固体の、その水溶液が塩基性を示す物質を含む中和用剤（ＩＩＩ´）が存在する。第一室１０に固体の酸性化剤（ＩＩ´）が存在し、第二室１１に固体の漂白剤前駆体（Ｉ´）が存在してもよい。また、第一室１０に存在する成分は固体であるが、第二室１１及び第三室１２に存在する成分の性状は、固体に限定されず、液体でもよい。第一隔壁２１及び第二隔壁２２は、非透水性の材料製、例えばプラスチック又はゴム製である。しかし、第一室１０及び第二室１１に存在する成分が共に固体である場合には、第一隔壁２１は、例えばろ紙のような、小さな力（水圧又は空気圧）で外れるものでもよい。
【００５６】
液体吸収・保持部材３２は、中空容器１００の液体吸収・保持部材３２と同じである。中空容器４００の他端４４２には封止部材がないが、他端４４２は封止部材で封止されていてもよい。第三室１２に存在する成分の性状が液体である場合には、他端４４２には封止部材が存在する（図３における封止部材２５４を参照のこと）。
【００５７】
このキットのもう一つの構成要件であるシリンジは、その形状は図３に示されているものと同じであるが、水性液体を含有している点が異なる。なお、本発明の歯の漂白用キットの第三の態様には、水性液体を含有していないシリンジ２６０と、そのシリンジ２６０に注入される水性液体の入った小容器とが提供され、小容器内の水性液体がシリンジ２６０に装入されて使用される態様も包含される。水性液体とは、水、生理食塩水、緩衝剤水溶液、水性懸濁液等をいう。
【００５８】
図８に示す中空容器４３３の接続部材４５９からシール４５５を剥がし、接続部材４５９の孔４７３を介して中空容器４００の孔４７１に、水性液体を含有するシリンジの先端部を装入して組み立てた歯の漂白用デバイスの使用例を説明する。使用者が、圧力供給部材であるシリンジのピストンを押して所定距離だけ移動させると、シリンジ中の水性液体が第一室１０に流入する。第一室１０に存在する固体の漂白剤前駆体（Ｉ´）は、流入した水性液体に溶解する。シリンジのピストンをさらに押すと、シリンジ中の空気による空気圧が漂白剤前駆体（Ｉ´）を溶解した水性液体に加わることで、第一隔壁２１が押されて外れる。これにより、第一室１０と第二室１１とが連通する。その結果、水性液体に第二室１１に存在する固体の酸性化剤（ＩＩ´）が溶解し、亜塩素酸塩の酸性液体が生成される。第一室１０に固体の酸性化剤（ＩＩ´）が存在する場合には、先ず、酸性化剤（ＩＩ´）を溶解した水性液体が調製され、次いでその水性液体に固体の漂白剤前駆体（Ｉ´）が溶解し、亜塩素酸塩の酸性液体が生成される。この酸性液体中で、亜塩素酸塩が分解して、二酸化塩素が生成される。
【００５９】
所定時間経過後、即ち、十分な量の二酸化塩素が生成されたら、使用者はシリンジのピストンを指でもう１回押す。これにより、空気圧によって第二隔壁２２が押されて外れ、第二室１１と第三室１２とが連通する。その結果、第三室１２に存在する固体の中和用剤（ＩＩＩ´）も水性液体に溶解し、第二室１１に存在した酸性の液体が中和される。中和後の液体には、二酸化塩素が含まれている。この液体は、液体吸収・保持部材３２に吸収・保持される。液体吸収・保持部材３２を歯の表面に当てることにより、液体吸収・保持部材３２を通じて二酸化塩素含有液体が歯の表面に供給され、それによって歯が漂白される。
【００６０】
（第四の態様の歯の漂白用キット）
図９は、本発明の歯の漂白用キットの第四の態様に含まれる中空容器５００の断面模式図である。このキットには、他に、圧力供給部材であるシリンジが含まれている。このシリンジの構成は、漂白剤前駆体（Ｉ）又は酸性化剤（ＩＩ）の水溶液を含有していることを除き、第一の態様の歯の漂白用デバイス及びキットの他の例で使用したもの（図３を参照のこと）と同じである。また、このキットには、シリンジが漂白剤前駆体（Ｉ）又は酸性化剤（ＩＩ）の水溶液を含有しておらず、当該水溶液は、別途、小容器に封入されて提供されるという態様も包含される。
【００６１】
中空容器５００について説明する。中空容器５００は、中空の外部部材５３３を備える。中空の外部部材５３３は、非透水性で硬質のチューブ、例えば、その横断面形状が円形のプラスチックチューブであり、その太さは一様である。この中空の外部部材５３３は、透明、半透明及び不透明のいずれでもよい。中空容器５００の一端５４１の外側には、接続部材５５９が存在する。接続部材５５９は、中空容器５００内の一端部５５１に存在してもよい。接続部材５５９は、例えば可撓性を有するゴム製のリングである。接続部材５５９の孔５７３は、シール５５５等の封止部材によって閉鎖されている。他端５４２は、液体吸収・保持部材３２によって閉鎖されている。
【００６２】
この中空容器５００の内部には、一端５４１側から他端５４２側に向かって順に、第一室１３、隔壁２３、第二室１４及び液体吸収・保持部材３２が存在する。液体吸収・保持部材３２は、中空容器５００の他端部５５２内に存在する。第一室１３には、固体の、その水溶液が酸性を示す物質を含む酸性化剤（ＩＩ´）が存在し、第二室１４には、固体の、その水溶液が塩基性を示す物質を含む中和用剤（ＩＩＩ´）が存在する。第一室１３に、固体の亜塩素酸塩を含む漂白剤前駆体（Ｉ´）が存在してもよい。また、第一室１３に存在する成分は固体であるが、第二室１４に存在する成分の性状は、固体に限定されず、液体でもよい。隔壁２３は、非透水性の材料製、例えばプラスチック又はゴム製である。
【００６３】
液体吸収・保持部材３２は、中空容器１００の液体吸収・保持部材３２と同じである。中空容器５００の他端５４２には封止部材がないが、他端５４２は封止部材で封止されていてもよい。第二室１４に存在する成分の性状が水溶液である場合には、他端５４２には封止部材が存在する（図３における封止部材２５４を参照のこと）。
【００６４】
このキットのもう一つの構成要件であるシリンジは、その形状は図３に示されているものと同じであるが、亜塩素酸もしくはその塩を含む漂白剤前駆体（Ｉ）の水溶液（中空容器５００の第一室１３には、固体の、その水溶液が酸性を示す物質を含む酸性化剤（ＩＩ´）が存在している場合）、又は、その水溶液が酸性を示す物質を含む酸性化剤（ＩＩＩ）の水溶液（中空容器５００の第一室１３には、固体の、亜塩素酸塩を含む漂白剤前駆体（Ｉ´）が存在している場合）を含有している点が異なる。なお、本発明の歯の漂白用キットの第四の態様には、前記水溶液を含有していないシリンジ２６０と、そのシリンジ２６０に注入される、漂白剤前駆体（Ｉ）又は酸性化剤（ＩＩ）の水溶液の入った小容器とが提供され、小容器内の水溶液がシリンジ２６０に装入されて使用される態様も包含される。
【００６５】
図９に示す中空容器５００の接続部材５５９からシール５５５を剥がし、接続部材５５９の孔５７３を介して中空容器５００の孔５７１に、前記水溶液を含有するシリンジの先端部を装入して組み立てた歯の漂白用デバイスの使用例を説明する。使用者が、圧力供給部材であるシリンジのピストンを押して所定距離だけ移動させると、シリンジ中の漂白剤前駆体（Ｉ）の水溶液が第一室１３に流入する。第一室１３に存在する固体の酸性化剤（ＩＩ´）が、流入した水溶液に溶解し、亜塩素酸又はその塩の酸性液体が生成される。この酸性液体中で、亜塩素酸又はその塩が分解して、二酸化塩素が生成される。シリンジ中に酸性化剤（ＩＩ）の水溶液が存在し、第一室１３に固体の漂白剤前駆体（Ｉ´）が存在する場合は、ピストンを押して所定距離だけ移動させると、第一室１３に存在する固体の漂白剤前駆体（Ｉ´）が流入した酸性化剤（ＩＩ´）の水溶液に溶解し、亜塩素酸塩の酸性液体が生成される。この酸性液体中で、亜塩素酸塩が分解して、二酸化塩素が生成される。
【００６６】
所定時間経過後、即ち、十分な量の二酸化塩素が生成されたら、使用者はシリンジのピストンを指でもう１回押す。これにより、空気圧によって隔壁２３が押されて外れ、第一室１３と第二室１４とが連通する。その結果、第二室１４に存在する固体の中和用剤（ＩＩＩ´）も水溶液に溶解し、第一室１３に存在した酸性の液体が中和される。中和後の液体には、二酸化塩素が含まれている。この液体は、液体吸収・保持部材３２に吸収・保持される。液体吸収・保持部材３２を歯の表面に当てることにより、液体吸収・保持部材３２を通じて二酸化塩素含有液体が歯の表面に供給され、それによって歯が漂白される。
【００６７】
上記の実施態様中、シリンジを使用する例では、シリンジの代わりに、スポイト、より具体的には、全体が一体成型されているスポイトを使用することもできる。
【００６８】
（第三の態様の歯の漂白用デバイス及び第五の態様の歯の漂白用キット）
図１０は、本発明の第三の態様の歯の漂白用デバイスの断面模式図である。歯の漂白用デバイス４は、固体の亜塩素酸塩を含む漂白剤前駆体（Ｉ´）の層１５と、第一隔壁２１と、固体のその水溶液が酸性を示す物質を含む酸性化剤（ＩＩ´）の層１６と、第二隔壁２２と、固体のその水溶液が塩基性を示す物質を含む中和用剤（ＩＩＩ´）の層１７とを有し、これらの層はこの順で存在しており、中和用剤（ＩＩＩ´）の第二隔壁２２に対向する側の反対側には液体吸収・保持部材３２があり、これらの外周部は外部部材である非透水性部材３３で被覆されているものである。即ち、歯の漂白用デバイス４は、中空の非透水性部材３３の空間に、液体吸収・保持部材３２、層１７、第二隔壁２２、層１６、第一隔壁２１及び層１５が、この順に充填されているものである。層１５が固体のその水溶液が酸性を示す物質を含む酸性化剤（ＩＩ´）の層であり、層１６が固体の亜塩素酸塩を含む漂白剤前駆体（Ｉ´）の層であってもよい。
【００６９】
層１５、１６及び１７は、それぞれ、例えばろ紙やスポンジのような保持部材に、固体の亜塩素酸塩を含む漂白剤前駆体（Ｉ´）、固体のその水溶液が酸性を示す物質を含む酸性化剤（ＩＩ´）、及び固体のその水溶液が塩基性を示す物質を含む中和用剤（ＩＩＩ´）が保持されている層であってもよい。層１７が、保持部材に固体のその水溶液が塩基性を示す物質を含む中和用剤（ＩＩＩ´）が保持されている層である場合、液体吸収・保持部材３２は存在しなくてもよい。
【００７０】
第一隔壁２１は、保存時に、層１５に存在する成分と層１６に存在する成分が混ざらないようにする役割を果たし、且つ透水性を有する材料製である。第二隔壁２２も、保存時に、層１６に存在する成分と層１７に存在する成分が混ざらないようにする役割を果たし、且つ透水性を有する材料製である。第一隔壁２１及び第二隔壁２２の材料の例として、ろ紙及びスポンジが挙げられる。また、液体吸収・保持部材３２の材料は、例えば、ろ紙、スポンジ及び微細なブラシ構造体である。デバイス４の外周部を構成している非透水性部材３３の材料は、例えば硬質又は軟質プラスチックである。
【００７１】
本発明の歯の漂白用デバイス４は、上から見た形状が、例えば、円形、三角形、楕円形、ひし形、長方形や正方形等であってよい。歯の漂白用デバイス４の上から見た形状は、特に限定されず、任意の形状を採用できる。
【００７２】
本発明の第五の態様の歯の漂白用キットは、歯の漂白用デバイス４に加え、例えば図１１（１）に示す水性液体供給用部材６０を有する。水性液体供給用部材６０は、柔軟なプラスチック製の収容部６１と収容部６１の材質よりは硬質のプラスチック製の被覆部６２，６３とを有している。収容部６１は、所定量の水性液体を収容しており、被覆部６２，６３は、接続部分６５で結合されて、収容部６１の開口部６４を覆っている。水性液体の例は、水、生理食塩水、緩衝剤水溶液及び水性懸濁液である。
【００７３】
図１０に示す歯の漂白用デバイス４及び図１１に示す液体供給用部材６０の使用例を説明する。使用者は、歯の漂白用デバイス４の上方（層１５の上方）において、水性液体供給用部材６０の被覆部６２，６３を、二本の指で矢印Ｇで示すように収容部６１に向かって押す。これにより、被覆部６２，６３の接続部分６５が破断して、収容部６１内の所定量の水性液体、例えば水４０が、開口部６４から出てくる。この水４０は、歯の漂白用デバイス４の層１５に供給される。
【００７４】
図１２は、水性液体供給用部材の他の例であるパウチ７０の斜視図である。柔軟なプラスチック製のパウチ７０には、水性液体、例えば水４０が収容されており、その下面中央には、このパウチ７０に小さな圧力がかかると破れる裂け目部分６６が形成されている。パウチ７０を、その裂け目部分６６が存在する面を下面として、図１０に示す歯の漂白用デバイス４の層１５の上に載せる。パウチ７０を指で上から押して、裂け目部分６６を破く。このようにして、パウチ７０内の水４０を、歯の漂白用デバイス４の層１５に供給する。
【００７５】
層１５では、流入した水４０に固体の漂白剤前駆体（Ｉ´）が溶解し、漂白剤前駆体（Ｉ´）の水溶液が調製される。漂白剤前駆体（Ｉ´）の水溶液は、第一隔壁２１を経由して層１６に流入する。層１６では、流入した水溶液に固体の酸性化剤（ＩＩ´）が溶解し、亜塩素酸塩の酸性液体が生成される。層１５に固体の酸性化剤（ＩＩ´）が存在する場合には、先ず、酸性化剤（ＩＩ´）を溶解した水溶液が調製され、次いでその水溶液に固体の漂白剤前駆体（Ｉ´）が溶解し、亜塩素酸塩の酸性液体が生成される。亜塩素酸塩の酸性液体が第二隔壁２２を通過する間に、この酸性液体中で、亜塩素酸塩が分解し、二酸化塩素が生成される。したがって、第二隔壁２２は、亜塩素酸塩が分解して二酸化塩素が生成される時間を担保できる密度及び／又は距離を有することが必要である。例えば第二隔壁２２がろ紙製である場合には、その目の細かさやろ水時間を適切に選択することにより、及び／又は、酸性液体が移動する方向におけるろ紙の長さを適切に選択することにより、酸性液体が所望の時間で第二隔壁２２を通過するように調整する。また、例えば第二隔壁２２がスポンジ製である場合には、多孔度を適切に選択することにより、及び／又は、酸性液体が移動する方向におけるスポンジの長さを適切に選択することにより、酸性液体が所望の時間で第二隔壁２２を通過するように調整する。
【００７６】
十分な量の二酸化塩素を含む酸性液体が層１７に到達すると、酸性液体に固体の中和用剤（ＩＩＩ´）が溶解し、酸性液体が中和される。中和後の液体には、二酸化塩素が含まれている。この液体は、液体吸収・保持部材３２に吸収・保持される。液体吸収・保持部材３２を歯の表面に当てることにより、液体吸収・保持部材３２を通じて二酸化塩素含有液体が歯の表面に供給され、それによって歯が漂白される。なお、層１７が固体の中和用剤（ＩＩＩ´）を保持したろ紙やスポンジである場合には、液体吸収・保持部材３２はなくてもよく、その場合には、層１７が歯の表面に当てられる。
【００７７】
本発明の歯の漂白用デバイス４は、それ単独で、即ち、液体供給用部材なしでも提供され得る。その場合、使用者は、説明書に記載された量の水を、本発明の歯の漂白用デバイス４に供給すればよい。
【００７８】
（第三の態様の歯の漂白用デバイス及び第五の態様の歯の漂白用キットの変形例１）
図１３は、本発明の第三の態様の歯の漂白用デバイスの変形例１の断面模式図である。歯の漂白用デバイス５は、上記の歯の漂白用デバイス４の構成に加えて、層１５の上に、第三隔壁３１及び活性炭層３０を有する。活性炭層は、二酸化塩素が過剰に発生し、デバイス５を通過する水性液体に溶解しきらずに気体で存在した場合に、その気体の二酸化塩素をトラップする役割を果たす。
【００７９】
上記デバイス５を使用する場合には、液体供給用部材６０やパウチ７０を使用して、活性炭層３０に水性液体を供給すればよい。
【００８０】
（第三の態様の歯の漂白用デバイス及び第五の態様の歯の漂白用キットの変形例２）
図１４は、本発明の第三の態様の歯の漂白用デバイスの変形例２の断面模式図である。歯の漂白用デバイス６は、固体の亜塩素酸塩を含む漂白剤前駆体（Ｉ´）の層１５と、第一隔壁２１と、固体のその水溶液が酸性を示す物質を含む酸性化剤（ＩＩ´）の層１６と、第二隔壁２２と、固体のその水溶液が塩基性を示す物質を含む中和用剤（ＩＩＩ´）の層１７とを有し、これらの層はこの順で存在しており、これらの層は、隣接する層同士がその外周部において接着剤で接着されているものである。固化した接着剤の層３５が、外部部材である。層１５が固体のその水溶液が酸性を示す物質を含む酸性化剤（ＩＩ´）の層であり、層１６が固体の亜塩素酸塩を含む漂白剤前駆体（Ｉ´）の層であってもよい。また、層１７の外側に、その外周部が接着剤で接着された液体吸収・保持部材があってもよい。
【００８１】
（第六の態様の歯の漂白用キット）
図１５は、本発明の第六の態様の歯の漂白用キットに含まれるデバイス７の断面模式図である。このキットには、他に、図示していない液体供給用部材が含まれている。この液体供給用部材の構成は、それに収容されている液体が漂白剤前駆体（Ｉ）又は酸性化剤（ＩＩ）の水溶液であることを除き、第三の態様の歯の漂白用デバイス４と共に使用する、及び第五の態様の歯の漂白用キットに含まれている水性液体供給用部材（図１１及び図１２を参照のこと）と同じである。
【００８２】
デバイス７は、固体の亜塩素酸塩を含む漂白剤前駆体（Ｉ´）又は固体のその水溶液が酸性を示す物質を含む酸性化剤（ＩＩ´）の層１８と、隔壁２３と、固体のその水溶液が塩基性を示す物質を含む中和用剤（ＩＩＩ´）の層１９とがこの順で存在しており、中和用剤（ＩＩＩ´）の層１９の隔壁２３に対向する側の反対側には液体吸収・保持部材３２があり、これらの外周部は、外部部材である非透水性部材３３で被覆されている。
【００８３】
層１８及び１９は、それぞれ、例えばろ紙やスポンジのような保持部材に、固体の亜塩素酸塩を含む漂白剤前駆体（Ｉ´）又は固体のその水溶液が酸性を示す物質を含む酸性化剤（ＩＩ´）、及び固体のその水溶液が塩基性を示す物質を含む中和用剤（ＩＩＩ´）が保持されている層であってもよい。層１９が、保持部材に固体のその水溶液が塩基性を示す物質を含む中和用剤（ＩＩＩ´）が保持されている層である場合、液体吸収・保持部材３２は存在しなくてもよい。
【００８４】
隔壁２３は、保存時に、層１８に存在する成分と層１９に存在する成分が混ざらないようにする役割を果たし、且つ透水性を有する材料製である。材料の例として、ろ紙及びスポンジが挙げられる。また、液体吸収・保持部材３２の材料は、例えば、ろ紙、スポンジ及び微細なブラシである。デバイス６の外周部を構成している非透水性部材３３の材料は、例えば硬質又は軟質プラスチックである。
【００８５】
デバイス７は、上から見た形状が、例えば、円形、三角形、楕円形、ひし形、長方形や正方形等であってよい。その上から見た形状は、特に限定されず、任意の形状を採用できる。
【００８６】
本発明の第六の態様の歯の漂白用キットは、デバイス７に加え、例えば図１１（１）に示す水性液体供給用部材６０と同様の形態の液体供給用部材を有する。但し、ここで使用する液体供給用部材の収容部には、デバイス７の層１８に固体の亜塩素酸塩を含む漂白剤前駆体（Ｉ´）が存在する場合には、その水溶液が酸性を示す物質を含む酸性化剤（ＩＩ）の水溶液が、また、デバイス７の層１８に固体のその水溶液が酸性を示す物質を含む酸性化剤（ＩＩ´）が存在する場合には、亜塩素酸又はその塩を含む漂白剤前駆体（Ｉ）の水溶液が収納されている。
【００８７】
液体供給用部材として、図１２に示されたパウチ７０と同様の形態のものも使用することができる。但し、その中に収納されている水性液体は、デバイス７の層１８に固体の亜塩素酸塩を含む漂白剤前駆体（Ｉ´）が存在する場合には、その水溶液が酸性を示す物質を含む酸性化剤（ＩＩ）の水溶液であり、また、デバイス７の層１８に固体のその水溶液が酸性を示す物質を含む酸性化剤（ＩＩ´）が存在する場合には、亜塩素酸又はその塩を含む漂白剤前駆体（Ｉ）の水溶液である。
【００８８】
図１５に示す歯の漂白用デバイス７及び図１１に示す水性液体供給用部材６０と同様の形態の液体供給用部材との使用例を説明する。使用者は、液体供給用部材を使用して、デバイス７の上方（層１８の上方）から、その水溶液が酸性を示す物質を含む酸性化剤（ＩＩ）の水溶液（層１８に漂白剤前駆体（Ｉ´）が存在する場合）、又は、亜塩素酸もしくはその塩を含む漂白剤前駆体（Ｉ）の水溶液（層１８に酸性化剤（ＩＩ´）が存在する場合）を供給する。層１８では、固体の漂白剤前駆体（Ｉ´）又は固体の酸性化剤（ＩＩ´）が流入した水溶液に溶解し、亜塩素酸又はその塩の酸性液体が生成される。亜塩素酸又はその塩の酸性液体が隔壁２３を通過する間に、この酸性液体中で、亜塩素酸又はその塩が分解して、二酸化塩素が生成される。したがって、隔壁２３は、亜塩素酸塩が分解して二酸化塩素が生成される時間を担保できる密度及び／又は距離を有することが必要である。例えば隔壁２３がろ紙製である場合には、その目の細かさやろ水時間を適切に選択することにより、及び／又は、酸性液体が移動する方向におけるろ紙の長さを適切に選択することにより、酸性液体が所望の時間で隔壁２３を通過するように調整する。また、例えば隔壁２３がスポンジ製である場合には、多孔度を適切に選択することにより、及び／又は、酸性液体が移動する方向におけるスポンジの長さを適切に選択することにより、酸性液体が所望の時間で隔壁２３を通過するように調整する。
【００８９】
十分な量の二酸化塩素を含む酸性液体が層１９に到達すると、酸性液体に固体の中和用剤（ＩＩＩ´）が溶解し、酸性液体が中和される。中和後の液体には、二酸化塩素が含まれている。この液体は、液体吸収・保持部材３２に吸収・保持される。液体吸収・保持部材３２を歯の表面に当てることにより、液体吸収・保持部材３２を通じて二酸化塩素含有液体が歯の表面に供給され、それによって歯が漂白される。なお、層１９が固体の中和用剤（ＩＩＩ´）を保持したろ紙やスポンジである場合には、液体吸収・保持部材３２がなくてもよく、その場合には、層１９が歯の表面に当てられる。
【００９０】
第六の態様の歯の漂白用キットに含まれるデバイス７は、上記したデバイス６の変形例１同様、層１８の上に、隔壁及び活性炭層を有するものであってもよいし、また、上記したデバイス６の変形例２同様、外部部材が、隣接する層同士をそれらの外周部において接着している、固化した接着剤の層であるものであってもよい。
【００９１】
（本発明の歯の漂白用デバイスの製造方法）
以下において、本発明の歯の漂白用デバイスのいくつかの例について、製造方法を説明する。
【００９２】
１．図１及び２に記載の歯の漂白用デバイス１の製造方法
チューブ１３３の一端（その断面の直径が小さい方）を、シール１５５で閉じる。シール１５５を下面として、チューブ１３３を立てる。チューブ１３３の他端１４２側から、漂白剤前駆体（Ｉ）の水溶液を注入する。第一隔壁２１をチューブ内に差し込み、第一室１０を画する。次に、固体（例えば、粉状）の酸性化剤（ＩＩ）を入れる。第二隔壁２２をチューブ内に差し込み、第二室１１を画する。次に、固体（例えば、粉状）の中和用剤（ＩＩＩ）を入れる。液体吸収・保持部材３２をチューブ１３３内に差し込み、第三室１２を画する。チューブ１３３の他端１４２に、封止部材１５４を貼付する。使用時、シール１５５を剥がし、一端部１５１の外側にスポイト１６０を取り付ける。
【００９３】
２．図３及び４に記載の歯の漂白用デバイス２の製造方法
チューブ２３３の一端に、接続部材２５９を貼りつける。接続部材２５９の孔２７３を、シール２５５で閉じる。シール２５５を下面として、チューブ２３３を立てる。以下、歯の漂白用デバイス１と同様の方法により、封止部材２５４の貼付工程までを行う。使用時、シール２５５を剥がし、接続部材２５９の孔２７３にシリンジ２６０の先端部２６５を差し込む。
【００９４】
３．図５乃至７に記載の歯の漂白用デバイス３の製造方法
チューブ３３３の一端部３５１に、めねじ部材３０３を装入する。めねじ部材３０３の孔（めねじ部分の内側に存在する孔）を、シール３５５で閉じる。シール３５５を下面として、チューブ３３３を立てる。以下、歯の漂白用デバイス１と同様の方法により、液体吸収・保持部材３２をチューブ内に差し込む工程までを行う。使用時、シール３５５を剥がし、回転移動部材３６０のおねじ部分３０２をめねじ部材３０３のめねじ部分３０６と噛み合せる。
【００９５】
４．図１０に記載の歯の漂白用デバイス４の製造方法（その１）
（１）乾燥ろ紙の調製
ろ紙に、所定量の漂白剤前駆体（Ｉ）の水溶液を染み込ませ、そのろ紙を乾燥させる（層１５の調製）。別のろ紙に、所定量の酸性化剤（ＩＩ）の水溶液を染み込ませ、そのろ紙を乾燥させる（層１６の調製）。さらに別のろ紙に、所定量の中和用剤（ＩＩＩ）の水溶液を染み込ませ、そのろ紙を乾燥させる（層１７の調製）。
【００９６】
（２）歯の漂白用デバイス４の製造
プラスチック製の円筒３３に、スポンジ（液体吸収・保持部材）３２、層１７、数枚のろ紙（第二隔壁）２２、層１６、ろ紙（第一隔壁）２１及び層１５を、この順に詰め込む。
【００９７】
５．図１０に記載の歯の漂白用デバイス４の製造方法（その２）
プラスチック製の円筒３３に、スポンジ（液体吸収・保持部材）３２、粉末の中和用剤（ＩＩＩ´）（層１７の形成）、数枚のろ紙（第二隔壁）２２、粉末の酸性化剤（ＩＩ´）（層１６の形成）、ろ紙（第一隔壁）２１及び固体の漂白剤前駆体（Ｉ´）（層１５の形成）を、この順に詰め込む。
【００９８】
［実験例１］  褐色鶏卵の殻の漂白（その１）
鶏卵の殻の主成分は炭酸カルシウムであるが、褐色鶏卵の殻にはヘモグロビン由来の色素が入り込み、そのために褐色を呈している。歯の内因性の黄ばみ（象牙質の黄ばみ）もヘモグロビン由来の色である可能性が高い。したがって、褐色鶏卵の殻を用いたホワイトニングの評価系では、表面の汚れの除去ではなく、内因性の色素の漂白効率を評価できる（小川弘美ら、ポリリン酸を含む漂白剤−褐色鶏卵に対する漂白効果―、歯科の色彩、第２０巻第１号３７乃至４２頁（２０１４））。
【００９９】
（歯の漂白用組成物の調製）
３０ｗ／ｖ％亜塩素酸ナトリウム水溶液５０μＬに、水５０μＬ、プラチナ・ナノコロイド原液（アプト株式会社製、プラチナを０．０２ｗ／ｖ％含有）２．４μＬ及び２５％濃度のウルトラリン酸ナトリウム水溶液１９７．６μＬを、この順に添加した。ウルトラリン酸ナトリウム水溶液を加えて５秒後から１０秒間、得られた混合液体を卓上撹拌機にて撹拌した。この際の混合液体のｐＨは約２．０であった。その後、４０℃に設定したウォーターバス内に５分間静置した。加温終了３０秒後に、このようにして得られた混合液体３００μＬに、中和用剤（０．４Ｍリン酸水素二ナトリウム水溶液：１Ｎ水酸化ナトリウム水溶液：水＝９：３：４の割合で混ぜたもの）１．２ｍＬを加えて中和させ、ｐＨがおよそ７．０の歯の漂白用組成物を得た。
【０１００】
（歯の漂白用組成物を用いた褐色鶏卵の殻の漂白）
厚さ１ｍｍのろ紙を用い、穴あけポンチで直径約０．５ｃｍの円形にくり抜き、これを褐色鶏卵の殻の表面に乗せた。このろ紙に、上記のようにして調製した歯の漂白用組成物２０μＬを染み込ませた。５分間静置し、水で軽く洗い流した。
【０１０１】
漂白処理前の褐色鶏卵の殻の色と、漂白処理後のろ紙が貼付されていた個所の色を、オリンパス株式会社製のクリスタルアイを使用して測色した。具体的には、漂白処理前の褐色鶏卵の殻の色と、漂白処理後のろ紙が貼付されていた個所の色について、白黒の傾向の差ΔＬ*、赤緑の傾向の差Δａ*、黄青の傾向の差Δｂ*をそれぞれ求め、これらの値から、以下の式１にしたがって色素偏差ΔＥ*ａｂを算出した。
【０１０２】
【数１】
2020031862.tif 000003
【０１０３】
（結果）
結果を表１に示す。本発明に係る歯の漂白用組成物を、液体吸収・保持部材であるろ紙に吸収・保持させて漂白したところ、漂白前後での色素偏差ΔＥ*ａｂが４．７７であり、このことから、褐色鶏卵の殻が著しく漂白されたことが分かる。なお、漂白がなされなかった場合には、ΔL＊、Δa＊及びΔb＊のいずれも、約０となる。
【０１０４】
【表１】
2020031862.tif 000004
【０１０５】
［実験例２］  褐色鶏卵の殻の漂白（その２）
（歯の漂白用組成物を染み込ませた乾燥ろ紙の調製）
ろ紙（Ｗｈａｔｍａｎ製、ろ過フィルター用、ＦＩＬＴＥＲ  ＰＡＰＥＲＳ  ４０、ＣＡＴ  Ｎｏ．１４４０−１２５、ＧＥヘルスケア株式会社製）を２ｃｍ角に切り取り、プラスチック皿の上に載せた。
【０１０６】
３０％ｗ／ｖ亜塩素酸ナトリウム水溶液５０μＬ、水３５０μＬ、プラチナ・ナノコロイド原液（アプト株式会社製、プラチナを０．０２ｗ／ｖ％含有）２．４μＬを混合し、漂白剤前駆体（Ｉ）水溶液を調製した。この漂白剤前駆体（Ｉ）水溶液２００μＬをろ紙に染み込ませ、ろ紙全体を湿らせた（以下、これを「ろ紙Ａ」とする）。
【０１０７】
別途、酸性化剤（ＩＩ）水溶液として、１２．５ｗ／ｖ％ウルトラリン酸ナトリウム水溶液を調製し、その水溶液２００μＬを別のろ紙に染み込ませた（以下、これを「ろ紙Ｂ」）とする。
【０１０８】
さらに、中和用剤（ＩＩＩ）水溶液として、０．４Ｍリン酸水素二ナトリウム水溶液と１０％ｗ／ｖ炭酸ナトリウム水溶液とを３：１（容量比）で混ぜたものを調製し、その水溶液６００μＬを別のろ紙に染み込ませた（以下、これを「ろ紙Ｃ」とする）。
【０１０９】
ろ紙Ａ、Ｂ及びＣを、４０℃にて２時間、減圧乾燥させた。ろ紙Ｃは完全に乾燥しなかったので、９０℃にてさらに１時間、減圧乾燥させた。
【０１１０】
（乾燥したろ紙Ａ、Ｂ及びＣを用いた褐色鶏卵の漂白）
上記のようにして調製したろ紙Ａ、Ｂ及びＣの各々を四等分し、１ｃｍ角とした。また、液体を染みこませていないろ紙を１ｃｍ角に切ったもの（以下、「通常ろ紙」とする）を、複数枚用意した。これらのろ紙を用い、以下のようにして褐色鶏卵の漂白を行った。
（１）褐色鶏卵の殻の表面を、オリンパス株式会社製のクリスタルアイを使用して測色した。
（２）褐色鶏卵の殻の表面上に、通常ろ紙、ろ紙Ｃ、通常ろ紙３枚、ろ紙Ｂ、通常ろ紙及びろ紙Ａをこの順に積み上げた。
（３）重ねたろ紙に、上から１００μＬの水を加え、その後１０分間静置した。
（４）ろ紙を除去し、卵の殻表面の水滴のｐＨを、ｐＨ試験紙で測定した。
（５）水洗後、褐色鶏卵の殻のろ紙と接していた個所の色を、クリスタルアイを使用して測色した。
【０１１１】
（結果）
結果を表２に示す。本発明の歯の漂白用デバイスを使用して褐色鶏卵の殻を漂白したところ、漂白前後での色素偏差ΔＥ*ａｂが７．６５であり、このことから、褐色鶏卵の殻が著しく漂白されたことが分かる。なお、漂白後、ｐＨ試験紙を用いて卵の殻表面の水滴のｐＨを確認すると、ｐＨ＝６〜７であった。
【０１１２】
【表２】
2020031862.tif 000005
【０１１３】
［実験例３］  歯の脱灰に対するｐＨの影響
１５ｗ／ｖ％亜塩素酸ナトリウム水溶液３００μＬに、１２ｗ／ｖ％プラチナ・ナノコロイド液体（アプト株式会社製の原液（プラチナヲ０．０２ｗ／ｖ％含有）を１２ｗ／ｖ％となるように希釈したもの）７．２μＬと、２５ｗ／ｖ％ウルトラリン酸ナトリウム水溶液５９２．８μＬとを加え、実験（１）用の液体（１）を調製した。液体（１）３００μＬに対して、中和用剤（０．４Ｍリン酸水素二ナトリウム水溶液：１Ｎ水酸化ナトリウム水溶液：水＝９：３：４の割合で混ぜたもの）１．２ｍＬを加え、実験（２）用の液体（２）を調製した。液体（１）及び（２）のそれぞれを使用して、以下に記載の方法で、ハイドロキシアパタイトの溶解実験を行った。
【０１１４】
（ハイドロキシアパタイトの溶解実験）
２ｍＬ容のマイクロチューブに、無処理のハイドロキシアパタイト２０．０ｍｇを精秤し、マイクロチューブとハイドロキシアパタイトとの合計重量を量った。マイクロチューブに液体（１）又は（２）６００μＬを加え、室温にて一晩（１７時間）放置した。その後、遠心分離（３０００ｇ、１５秒間）によりハイドロキシアパタイトを沈殿させ、上清を除去した。水１ｍＬ入れてよく混和し、ハイドロキシアパタイトを洗浄した。さらに、遠心分離（３０００ｇ、１５秒間）し、上清を除去する操作を３回繰り返した。その後、マイクロチューブ内を吸引加熱乾燥によって乾燥させ、マイクロチューブとハイドロキシアパタイトとの合計重量を量った。ハイドロキシアパタイト（ＨＡＰ）残存率を、下記式２によって算出した。結果を表３に示す。
【０１１５】
【数２】
2020031862.tif 000006
【０１１６】
【表３】
2020031862.tif 000007
【０１１７】
表３から明らかなように、酸性の液体（液体（１））では、ハイドロキシアパタイトは殆どすべて溶解してしまった。一方、一旦酸性とした後、中和した液体（液体（２））であれば、脱灰がほぼ起こらないことが明らかとなった。
【符号の説明】
【０１１８】
１，２，３，４，５，６，７  歯の漂白用デバイス
１０，１３  第一室
１１，１４  第二室
１２  第三室
１５，１６，１７，１８，１９  層
２１  第一隔壁
２２  第二隔壁
２３  隔壁
３０  活性炭層
３１  第三隔壁
３２  液体吸収・保持部材
３３  非透水性部材
３５  固化した接着剤
６０  水性液体供給用部材
７０  パウチ
１３３，２３３，３３３，４３３，５３３  中空容器
１６０  スポイトのポンプ部分
２６０  シリンジ
３６０  回転移動部材
【図１】
2020031862.tif 000008
【図２】
2020031862.tif 000009
【図３】
2020031862.tif 000010
【図４】
2020031862.tif 000011
【図５】
2020031862.tif 000012
【図６】
2020031862.tif 000013
【図７】
2020031862.tif 000014
【図８】
2020031862.tif 000015
【図９】
2020031862.tif 000016
【図１０】
2020031862.tif 000017
【図１１】
2020031862.tif 000018
【図１２】
2020031862.tif 000019
【図１３】
2020031862.tif 000020
【図１４】
2020031862.tif 000021
【図１５】
2020031862.tif 000022